(57)【要約】【課題】２次元コードの読み取り能力の低い受信装置への情報伝送を担保しつつ、２次元コードの読み取り能力の高い受信装置へより多くの情報を伝送できる送信装置及びその情報伝送方法を提供することを目的とする。【解決手段】本発明に係る送信装置は、全ての受信装置へ伝送する情報の２次元コードの表示時間を２次元コードの読み取り能力の低い受信装置が読み取れる時間とし、２次元コードの読み取り能力の高い受信装置へ伝送する情報の２次元コードの表示時間を受信装置の読み取り能力に応じた時間とする。【選択図】図１
2016024576.tif 000002
【特許請求の範囲】
【請求項１】
２次元コードを撮影することで前記２次元コードに変換された情報を読み取る受信装置に前記情報を伝送する送信装置であって、
情報を２次元コードに変換するコード変換手段と、
前記受信装置に撮影される画面に前記コード変換手段で変換された２次元コードを表示する表示手段と、
前記コード変換手段で変換された複数の２次元コードを、前記受信装置の２次元コード読み取り能力に応じた表示時間で前記表示手段に時分割表示させる制御手段と、
を備える送信装置。
【請求項２】
前記制御手段は、
全ての前記受信装置で読み取り可能な情報を変換した全装置宛２次元コードの表示時間を、
２次元コード読み取り能力が最も低い前記受信装置が、前記全装置宛２次元コードを含む複数の２次元コードを単位時間に撮影し、重畳した重畳２次元コードを読み取った際に、前記重畳２次元コードを前記全装置宛２次元コードであると識別可能な時間とすることを特徴とする請求項１に記載の送信装置。
【請求項３】
前記制御手段は、
前記全装置宛２次元コードのコード部の周囲にある背景部にコード部が配置された他の２次元コードを該全装置宛２次元コードと同じ単位時間に表示させることを回避することを特徴とする請求項２に記載の送信装置。
【請求項４】
前記全装置宛２次元コードのコード部の色を切り替えて前記全装置宛２次元コードの情報に他の情報を多重する色変換手段をさらに備えることを特徴とする請求項１から３のいずれかに記載の送信装置。
【請求項５】
前記全装置宛２次元コードの光強度を切り替えて前記全装置宛２次元コードの情報に他の情報を多重する光強度変換手段をさらに備えることを特徴とする請求項１から４のいずれかに記載の送信装置。
【請求項６】
２次元コードを撮影することで前記２次元コードに変換された情報を読み取る受信装置に前記情報を伝送する送信装置の情報伝送方法であって、
情報を２次元コードに変換するコード変換手順と、
前記受信装置に撮影される画面に前記コード変換手順で変換された２次元コードを表示する表示手順と、
前記コード変換手順で変換された複数の２次元コードを、前記受信装置の２次元コード読み取り能力に応じた表示時間で前記表示手段に時分割表示させる制御手順と、
を備える情報伝送方法。
【請求項７】
前記全装置宛２次元コードのコード部の色を切り替えて前記全装置宛２次元コードの情報に他の情報を多重する色変換手順をさらに備えることを特徴とする請求項６に記載の情報伝送方法。
【請求項８】
前記全装置宛２次元コードの光強度を切り替えて前記全装置宛２次元コードの情報に他の情報を多重する光強度変換手順をさらに備えることを特徴とする請求項６又は７に記載の情報伝送方法。
【発明の詳細な説明】
【技術分野】
【０００１】
本発明は、２次元コードを利用して受信装置へ情報を伝送する送信装置およびその情報伝送方法に関するものである。
【背景技術】
【０００２】
送信装置から出力する２次元コードを時間ごとに変化させ、複数の２次元コードを送信することで、紙などに印刷された２次元コードを読みとる場合に比べ、大容量のデータを送信できる方式が提案されている（例えば、特許文献１を参照。）。
【先行技術文献】
【特許文献】
【０００３】
【特許文献１】特開２００７−１６６５２６号公報
【発明の概要】
【発明が解決しようとする課題】
【０００４】
特許文献１に開示される送信装置でより多くのデータを送信する手段として、より高速で２次元コードを変化させる方法がある。しかしながら、これらの２次元コードを読み取る側の装置は、携帯電話のカメラやタブレットＰＣのカメラ、デジタルカメラなどの一般的に販売されている製品で読み込めることが、上記の技術を用いてサービスを展開する場合、より多くのユーザが利用できるため望ましい。
【０００５】
一方、複数種の製品に搭載される読み取り装置は同じ方式を用いた場合でも、一般的に性能（走査速度や解像度・解析能力等）にバラつきが存在する。このような状況で上記特許文献１に記載され時間的に変化する２次元コードを用いて情報等の配信を行った場合、低い能力のカメラ（読み取り装置）でも２次元コードを読み取れるよう、送信側は配慮する必要がある。
【０００６】
特にＣＣＤ等の素子を用いた場合、画像読み取りに要する読み出し時間は、送信側が出力する２次元コードの出力（投影）時間と関係する。例えば、ある時間間隔で変化する２次元コードは走査性能の高い受信装置では読み取れても、走査性能が低い受信装置では２次元コードの変化速度に追従できず読み取れない可能性がある。つまり、送信側は対象となる受信装置に正しく情報を受信させるためには、対象となる受信装置の中で読み出し時間のもっとも遅いものに合わせて、２次元コードの変化間隔を設定する必要がある。このため、走査時間が短時間の（性能の高い）受信装置に対して、より多く２次元コード情報を送信することができないという課題があった。
【０００７】
そこで、本発明は、前記課題を解決するために、２次元コードの読み取り能力の低い受信装置への情報伝送を担保しつつ、２次元コードの読み取り能力の高い受信装置へより多くの情報を伝送できる送信装置及びその情報伝送方法を提供することを目的とする。
【課題を解決するための手段】
【０００８】
上述した課題を解決するために、本発明に係る送信装置及びその情報伝送方法は、受信装置の読み出し時間に応じた動的２次元コード情報を送信することとした。
【０００９】
具体的には、本発明に係る送信装置は、２次元コードを撮影することで前記２次元コードに変換された情報を読み取る受信装置に前記情報を伝送する送信装置であって、
情報を２次元コードに変換するコード変換手段と、
前記受信装置に撮影される画面に前記コード変換手段で変換された２次元コードを表示する表示手段と、
前記コード変換手段で変換された複数の２次元コードを、前記受信装置の２次元コード読み取り能力に応じた表示時間で前記表示手段に時分割表示させる制御手段と、
を備える。
【００１０】
具体的には、本発明に係る情報伝送方法は、２次元コードを撮影することで前記２次元コードに変換された情報を読み取る受信装置に前記情報を伝送する送信装置の情報伝送方法であって、
情報を２次元コードに変換するコード変換手順と、
前記受信装置に撮影される画面に前記コード変換手順で変換された２次元コードを表示する表示手順と、
前記コード変換手順で変換された複数の２次元コードを、前記受信装置の２次元コード読み取り能力に応じた表示時間で前記表示手段に時分割表示させる制御手順と、
を備える。
【００１１】
本発明は、全ての受信装置へ伝送する情報の２次元コードの表示時間を２次元コードの読み取り能力の低い受信装置が読み取れる時間とし、２次元コードの読み取り能力の高い受信装置へ伝送する情報の２次元コードの表示時間を受信装置の読み取り能力に応じた時間とする。
【００１２】
従って、本発明は、２次元コードの読み取り能力の低い受信装置への情報伝送を担保しつつ、２次元コードの読み取り能力の高い受信装置へより多くの情報を伝送できる送信装置及びその情報伝送方法を提供することができる。
【００１３】
本発明に係る送信装置の前記制御手段は、
全ての前記受信装置で読み取り可能な情報を変換した全装置宛２次元コードの表示時間を、２次元コード読み取り能力が最も低い前記受信装置が、前記全装置宛２次元コードを含む複数の２次元コードを単位時間に撮影し、重畳した重畳２次元コードを読み取った際に、前記重畳２次元コードを前記全装置宛２次元コードであると識別可能な時間とすることを特徴とする。
【００１４】
２次元コードを時分割表示すると、２次元コードの読み取り能力の低い受信装置は複数の２次元コードが重畳した画像（重畳２次元コード）を取得することになる。２次元コードの読み取り能力の低い受信装置には全装置宛２次元コードの情報だけ伝送すればよいが、全装置宛２次元コードを含む重畳２次元コードには他の２次元コードがノイズとして重畳することになる。このため、２次元コードの読み取り能力の低い受信装置で他の２次元コードがノイズとして除去できるように全装置宛２次元コードの表示時間と他の２次元コードの表示時間を設定する。このように表示時間を設定すれば、２次元コードの読み取り能力の低い受信装置は、重畳２次元コードを全装置宛２次元コードとして受信でき、２次元コードの読み取り能力の高い受信装置は、それぞれの２次元コードを受信することができる。
【００１５】
本発明に係る送信装置の前記制御手段は、
前記全装置宛２次元コードのコード部の周囲にある背景部にコード部が配置された他の２次元コードを該全装置宛２次元コードと同じ単位時間に表示させることを回避することを特徴とする。
【００１６】
２次元コードの読み取り能力の低い受信装置が重畳２次元コードを取得する際に、全装置宛２次元コードのあるコード部のまわりに背景部があり、当該背景部に他の２次元コードのコード部が重畳すると、全装置宛２次元コードの前記コード部と前記背景部とのコントラストが低下することになる。コントラストが低下した場合、２次元コードの読み取り能力の低い受信装置は全装置宛２次元コードを正確に読み取ることができず誤った情報を取得することになる。このため、本発明では、全装置宛２次元コードのコード部のまわりに背景部が存在するとき、単位時間に当該全装置宛２次元コードとともに時分割表示する他の２次元コードとして当該背景部にコード部が重畳しないものを選択する。本発明は、２次元コードの読み取り能力の低い受信装置に全装置宛２次元コードを正確に読み取らせることができる。
【００１７】
本発明に係る送信装置は、前記全装置宛２次元コードのコード部の色を切り替えて前記全装置宛２次元コードの情報に他の情報を多重する色変換手段をさらに備える。
【００１８】
本発明に係る情報伝送方法は、前記全装置宛２次元コードのコード部の色を切り替えて前記全装置宛２次元コードの情報に他の情報を多重する色変換手順をさらに備える。
【００１９】
本発明は、全装置宛２次元コードのコード部の色を所定時間ごとに切り替えることができる。色を切り替えることで、全装置宛２次元コードの情報に他の情報を多重することができ、２次元コードの読み取り能力の高い受信装置により多くの情報を伝送することができる。
【００２０】
本発明に係る送信装置は、前記全装置宛２次元コードの光強度を切り替えて前記全装置宛２次元コードの情報に他の情報を多重する光強度変換手段をさらに備える。
【００２１】
本発明に係る情報伝送方法は、前記全装置宛２次元コードの光強度を切り替えて前記全装置宛２次元コードの情報に他の情報を多重する光強度変換手順をさらに備える。
【００２２】
本発明は、全装置宛２次元コードの光強度を所定時間ごとに切り替えることができる。光強度を切り替えることで、全装置宛２次元コードの情報に他の情報を多重することができ、２次元コードの読み取り能力の高い受信装置により多くの情報を伝送することができる。
【発明の効果】
【００２３】
本発明は、２次元コードの読み取り能力の低い受信装置への情報伝送を担保しつつ、２次元コードの読み取り能力の高い受信装置へより多くの情報を伝送できる送信装置及びその情報伝送方法を提供することができる。
【図面の簡単な説明】
【００２４】
【図１】本発明に係る情報伝達方法を説明する図である。
【図２】本発明に係る情報伝達方法を説明する図である。
【図３】本発明に係る情報伝達方法を説明する図である。
【図４】本発明に係る情報伝達方法を説明する図である。
【図５】本発明に係る情報伝達方法を説明する図である。
【図６】本発明に係る情報伝達方法を説明する図である。
【図７】本発明に係る情報伝達方法を説明する図である。
【図８】本発明に係る情報伝達方法を説明する図である。
【図９】本発明に係る情報伝達方法を説明する図である。
【図１０】本発明に係る送信装置の構造を説明する図である。
【図１１】本発明に係る送信装置の構造を説明する図である。
【図１２】本発明に係る送信装置の構造を説明する図である。
【発明を実施するための形態】
【００２５】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２６】
（実施形態１）
図１０は、本実施形態の送信装置３０１を説明する図である。送信装置３０１は、２次元コードを撮影することで前記２次元コードに変換された情報を読み取る受信装置に前記情報を伝送する送信装置であって、
情報を２次元コードに変換するコード変換手段１１と、
前記受信装置に撮影される画面にコード変換手段１１で変換された２次元コードを表示する表示手段１２と、
コード変換手段１１で変換された複数の２次元コードを、前記受信装置の２次元コード読み取り能力に応じた表示時間で表示手段１２に時分割表示させる制御手段１３と、
を備える。
【００２７】
図１は、本実施形態の情報伝送方法を説明する図である。本情報伝達方法は、送信装置３０１が動的に２次元コードを表示し、受信装置（２０１、２０２）が該２次元コードの情報を受信する際の、送信装置３０１が２次元コードを表示する方法である。送信装置３０１が表示する２次元コードは読み出し時間の長い受信装置（以下、低速読取受信装置２０１）を対象とするもの、読み出し時間が低速読取受信装置２０１より短く、多様な形態の情報を受信できる受信装置（以下、高速読取受信装置２０２）を対象とするものが存在する。さらに、低速読取受信装置２０１と高速読取受信装置２０２との中間の読み出し時間となる性能を有する中速読取受信装置を対象とするものが存在してもよい。
【００２８】
低速／高速読取受信装置（２０１、２０２）は送信装置３０１が表示する２次元コードの時間に応じて、情報を取得する。すなわち、低速読取受信装置２０１は時間粒度が荒く、より長時間表示されている低速読取受信装置向けの２次元コードのみを取得し、高速読取受信装置２０２は時間粒度が細かく、短時間かつ、低速読取受信装置向けの２次元コードよりも多数表示されている高速読取受信装置向けの２次元コードを取得する。さらに高速読取受信装置２０２は時間粒度が荒い、低速読取受信装置向けの２次元コードも取得する。このため、低速読取受信装置向けの２次元コードを「全装置宛２次元コード」と記載することがある。
【００２９】
図２は、送信装置３０１が時分割表示する低速／高速読取受信装置向けの２次元コードを説明する図である。２次元コードは２種類以上存在し、ある単位時間Ｔｕｎｉｔ内に複数回変化する。単位時間Ｔｕｎｉｔ内での低速読取受信装置向け２次元コードの送信時間ＴＬ、高速読取受信装置向け２次元コードの送信時間ＴＨは以下の通りとなる。
［数式１］
ＴＬ＝ΣＴｌｘ      （ｘ＝１，２，３，・・・）
ＴＨ＝ΣＴｈｙ      （ｙ＝１，２，３，・・・）
Ｔｌｘ＞Ｔｈｙ 
ここでＴＬはＴｕｎｉｔ内に低速読取受信装置向けに表示される２次元コードの総時間を表し、ＴｌｘはＴｕｎｉｔ内に低速読取受信装置向けに表示される２次元コードの１回当たりの時間（表示時間は一定でも、一定でなくても良い）を表し、ｘはＴｕｎｉｔ内に低速読取受信装置向けの２次元コードが表示される回数を表す。ＴＨはＴｕｎｉｔ内に高速読取受信装置向けに表示される２次元コードの総時間を表し、Ｔｈｙは、Ｔｕｎｉｔ内に高速読取受信装置向けに表示される２次元コードの１回当たりの時間（表示時間は一定でも、一定でなくても良い）を表し、ｙはＴｕｎｉｔ内に高速読取受信装置向けの２次元コードが表示される回数を表す。
【００３０】
このとき、Ｔｕｎｉｔは
［数式２］
Ｔｕｎｉｔ＝ＴＬ＋ＴＨ
としてしてもよいが、出力するコード間にガードタイム等の時間ＴＧを加味してもよい。その場合、単位時間Ｔｕｎｉｔは以下の通りとなる。
［数式３］
Ｔｕｎｉｔ＝ＴＬ＋ＴＨ＋ＴＧ
【００３１】
また、高速読取受信装置２０２はＴｈｙの読み出し時間以下で２次元コードの信号を受信することができれば、送信装置３０１が表示した２次元コード情報をすべて受信することができる。一方、送信装置３０１が、低速読取受信装置２０１に対して、低速読取受信装置の読み出し時間Ｔｌｓｃａｎを考慮しＴｌｘの低速読取受信装置向けの２次元コード（表示時間：ＴｌｘはＴｌｓｃａｎ以上）を表示することで、低速読取受信装置２０１はこの信号を受信できる。
【００３２】
なお、高速読取受信装置向けの２次元コードは低速読取受信装置２０１が全装置宛２次元コード信号を受信する際に干渉成分となるが、以下のコード重畳方法を用いることで、低速読取受信装置２０１は全装置宛２次元コード情報を受信することができる。
【００３３】
さらに、送信装置３０１のコード表示タイミングと低速読取受信装置２０１の受信タイミングとの同期動作を行っていてもよい。この場合、低速読取受信装置２０１は同期により読取開始のタイミングが判断しやすくなるため、低速読取受信装置の読み取り精度が向上する。
【００３４】
また、受信装置が複数の２次元コードを読み取り、一つのデータとして取得する場合、最終データの２次元コードを読み取るタイミングが分かるように、２次元コードの任意の部分に識別可能な情報を付加してもよい。例えば、２次元コードのある領域または画素に、データありの表示（例．黒を表示）を特定回以上連続して送信または受信した場合を、データの最終列であると判断してもよい。また、２次元コードのある領域または画素に、データなしの表示（例えば、白を表示）を特定回以上連続して送信した場合を、データの最終列であると判断してもよい。
【００３５】
［コード重畳方法］
制御手段１３は、
全ての受信装置で読み取り可能な情報を変換した全装置宛２次元コードの表示時間を、
２次元コード読み取り能力が最も低い受信装置２０１が、前記全装置宛２次元コードを含む複数の２次元コードを単位時間に撮影し、重畳した重畳２次元コードを読み取った際に、前記重畳２次元コードを前記全装置宛２次元コードであると識別可能な時間とする。
【００３６】
低速読取受信装置能向け２次元コード（例としてＱＲコード（登録商標）を挙げる）の情報が存在する画素（例として図１のＱＲコード（登録商標）Ｌ１の黒い画素部分を挙げる）に高速読取受信装置向けのデータを図３のように重畳する。このとき、単位時間Ｔｕｎｉｔ当たりの該当画素における重畳した信号が低速読取受信装置２０１に受信された際、複数種のコード情報が重畳した状態で低速読取受信装置２０１が信号を読み取るため、コントラストまたは階調度はオリジナルの低速読取受信装置向けの信号の状態に比べ変化する。このため、重畳された状態のＱＲコード（登録商標）が低速読取受信装置２０１の読取判定閾値Ｒ以上となるように、単位時間当たりの高速・低速向けのそれぞれのコードの時間配分を設定する。このようにコードの時間配分を行うことで、低速読取受信装置２０１は低速読取受信装置向けのＱＲコード（登録商標）の該当画素の情報を正しく取得することができる。
【００３７】
例えば、ＱＲコード（登録商標）の場合（図３）、低速読取受信装置向けの２次元コードにおける特定画素に情報（黒い部分と白い部分）が存在し、さらに高速読取受信装置向け２次元コードの情報が該当箇所に重畳される状況において以下の条件を満たす信号を出力する。
［数式４］
ｍ（ΣＴｌｂｘ＋ΣＴｈｂｙ）≧Ｒｂ
【００３８】
ここでｍは定数であり、閾値Ｒｂと積算値（ΣＴｌｂｘ＋ΣＴｈｂｙ）とを比較するための係数となる。ΣＴｌｂｘは低速読取受信装置向け２次元コード（例として、黒い部分の画素）が単位時間Ｔ当たりに表示される時間、ΣＴｈｂｙは高速読取受信装置向け２次元コード（例として、黒い部分の画素）が単位時間当たりに表示される時間、Ｒｂは黒を判定する判定閾値となる。このように該当画素において重畳した状態が存在していても、判定閾値Ｒｂを設定し、この数値を基準として、各２次元コードの信号の表示時間を設定することで、低速読取受信装置２０１は低速読取受信装置向けのＱＲコード（登録商標）を受信できる。
【００３９】
また、ＱＲコード（登録商標）のような背景が存在する２次元コードを用いる場合、低速読取受信装置向けＱＲコード（登録商標）の背景部分に高速読取受信装置向けのＱＲコード（登録商標）を重畳することもできる（図３参照）。この際、低速読取受信装置２０１が受信する該当背景部のコントラストまたは階調度が背景と判定する閾値Ｒｗ以下に設定する必要がある。また、背景部（この場合は例として、白い部分の画素）として判別する条件は以下の通りとなる。
［数式５］
ｍΣＴｈｂｙ≦Ｒｗ
上式は該当画素における高速読取受信装置向けＱＲコード（登録商標）表示時間（黒い部分の画素）が背景としての判別閾値Ｒｗ以下として設定することを示している。
【００４０】
さらに上記の二つの方法を組み合わせ、低速読取受信装置向け２次元コードの情報部・背景部に高速読取受信装置向け２次元コード情報を出力することで、より多くの情報を出力することができる。さらに、これは低速読取受信装置向けの２次元コード全体についても、情報部・背景部の読み取り判定閾値となるよう、高速読取受信装置向けの２次元コードを重畳することができれば、図４のようにそれぞれ独立した２次元コード（低速読取受信装置向け／高速読取受信装置向け）を出力し、情報を伝達することができる。
【００４１】
制御手段１３は、全装置宛２次元コードのコード部の周囲にある背景部にコード部が配置された他の２次元コードを該全装置宛２次元コードと同じ単位時間に表示させることを回避してもよい。
【００４２】
低速読取受信装置向け２次元コードと高速読取受信装置向けの２次元コードを重畳しようとすれば、低速読取受信装置２０１にとってこの高速読取受信装置向けの信号がノイズ成分となる。例えばコードのコントラスト低下などの影響を及ぼし、読取精度の低下などの影響を与える。また、二次元コードの隣接する画素（背景部）にこれらのノイズ成分がある場合、隣接画素間のコントラストが近接してしまい情報の判別が困難になる。具体的には、白黒で画素情報を取得する場合、白画素にノイズがのることで灰色方向へコントラストが変化し、隣接する黒画素ではノイズにより、白画素同様に灰色方向へコントラストが変化、隣り合う画素の相対的なコントラスト差が小さくなり、黒画素なのか白画素なのか、どちらの情報か判別しにくくなる。そのため、制御手段１３は、単位時間Ｔｕｎｉｔにおいて、低速読取受信装置向け２次元コードのコード部の周囲（背景部）にコード部が存在する高速読取受信装置向けの２次元コードを低速読取受信装置向け２次元コードに重畳しないようにする。重畳２次元コードのコントラストを保つことができるので、低速読取受信装置２０１の信号読み取り精度が低下することを回避できる。
【００４３】
例えば、情報の２次元コードを白黒または、指定色の有無で情報有無を判別する場合では、送信装置側が受信装置の読取閾値（ここでは例として、画素を黒として読み取る閾値Ｒｂ、画素を白として読み取る閾値Ｒｗ）を考慮し、隣接画素間において、高速読取受信装置向けの信号によるノイズによって、黒白画素のコントラストまたは階調が、一定以上近接してしまうことを避けるため、ＲｂとＲｗの識別閾値を離して（独立して）異なる値として出力すれば、お互いの相対的なコントラストまたは階調値が広がるように２次元コードは出力されるため、低速読取受信装置２０１の２次元コード信号の読み取りの際、判別が容易となる。
【００４４】
また、特定の性能を有する受信装置のみに信号を送信する場合、特に高速読取受信装置２０２のみに情報を送信したい場合は、任意の期間、受信装置は低速読取受信装置向けの信号（２次元コード情報）を送信せず、高速読取受信装置向けの信号を送信することで実現できる。
【００４５】
また、低速読取受信装置２０１の出力画像の読み取りが、受光素子を列ごとに走査、もしくはある受光素子の集団ごとに走査し読み取る場合、高速読取受信装置向けのコード群がまとまって出力され、この状態で低速読取受信装置２０１の読み取りが行われると、走査箇所（高速読取受信装置向けのコード群をノイズとして受信する）が本来受信されるべき情報でなはないもの受信してしまう。そのため、上記の走査により低速読取受信装置向けの２次元コードを取得する状況においては、低速読取受信装置向けの２次元コードの表示時間をいくつかに分割し、その間に高速読取受信装置向けのコードを少数挟み込む形で出力することで、上記のようにまとめてノイズとなる高速読取受信装置向けのコードを読み込んでしまうことを防ぐことができる（図４参照）。
【００４６】
（実施形態２）
図１１は、本実施形態の送信装置３０２を説明する図である。送信装置３０２は、図１０の送信装置３０１の構成に、前記全装置宛２次元コードのコード部の色を切り替えて前記全装置宛２次元コードの情報に他の情報を多重する色変換手段１４をさらに備える。本実施形態では、高速読取受信装置２０２は波長情報（色情報）も取得できる。
【００４７】
図５は、本実施形態の情報伝送方法を説明する図である。本情報伝送方法は、読取速度別の受信装置の読み出し時間差を利用し、低速読取受信装置向けの２次元コードの表示波長（表示色）を図５のように時間的に変化させ、この出力波長（表示色）の時間的変化を信号として高速読取受信装置２０２へ他の情報を伝送する方法である。
【００４８】
送信装置３０２は、図２のような時間分割による多重化を行った上で、Ｔｌ１，Ｔｌ２，・・・，Ｔｌｘの各区間における全受信機向けの２次元コード自体の出力波長を図５のように時間的に変化させ、さらなる多重化を行う。
【００４９】
高速読取受信装置２０２は読み取り時間を色が変化する時間よりも短く設定することで、高速読取受信装置向け２次元コードの情報、低速読取受信装置向け２次元コードの情報、及び色変化による情報を取得することができる。一方、低速読取受信装置２０１は色変化で表現された情報を取得できず、低速読取受信装置向け２次元コード情報のみを取得する。
【００５０】
このとき、図６のように、送信装置より２つ以上（複数）の色で表示することができれば、色別に情報を送信することができ、多様な情報が重畳できる。また、特定の色のみ受信できる高速読取受信装置があれば、それぞれの高速読取受信装置に対して個々の情報を送信することができる。
【００５１】
また、高速読取受信装置２０２の２次元コードの読み取り精度に応じて２次元コードの１つ以上の画素に色の時間変化による信号を重畳してもよい。この場合、高速読取受信装置２０２は画素単位または画素群の色に応じた、より多くの情報を取得できる。
【００５２】
一方、送信装置３０２は、低速読取受信装置２０１の読み取り閾値を考慮し、例えば画素の色を受信装置で重ね合わせて受信した場合でも２次元コードの各画素を読み取れるようなコントラストや階調値となるように色変化させた低速読取受信装置向け２次元コードを表示する。このように表示することで、低速読取受信装置２０１は低速読取受信装置向け２次元コードを受信することができる。
【００５３】
さらに、特定の色もしくは特定の色の組み合わせの情報を読み取るよう、あらかじめ高速読取受信装置２０２に設定しておくことで、高速読取受信装置２０２は特定の色の情報や色の組み合わせの情報も受信することが可能となる。
【００５４】
また、高速読取受信装置と低速読取受信装置の中間の性能を有する中速読取受信装置が存在してもよい。送信装置３０２は低速読取受信装置向け２次元コードを図７のように、中速読取受信装置の読取時間に応じた時間（高速読取受信装置の読取時間よりも長く、低速読取受信装置の読取時間より短い）だけ表示し、中速読取受信装置に対応させることができる。なお、送信装置３０２は、中速読取受信装置向け２次元コードを高速読取受信装置向けの信号が干渉成分となっても中速読取受信装置が信号を受信できる時間だけ表示する必要がある。
【００５５】
また、送信装置３０２は、特定の色が連続するパターンを中速読取受信装置向けの信号として割り当ててもよい。具体的には、送信装置３０２は、図８のように、波長λ２と波長λ３が混合した色を波長λ２の時間と波長λ３の時間の合計時間だけ表示し、中速読取受信装置向けの情報とすることができる。中速読取受信装置は、読取時間で該当する波長が混合した色の２次元パターンを受信し、情報を取得する。
【００５６】
本実施形態の送信装置３０２を用いることで、高速読取受信装置２０２は、実施形態１で説明した高速読取受信装置２０２より多くの情報を取得することができる。
【００５７】
（実施形態３）
図１２は、本実施形態の送信装置３０３を説明する図である。送信装置３０３は、図１０の送信装置３０１の構成に、前記全装置宛２次元コードの光強度を切り替えて前記全装置宛２次元コードの情報に他の情報を多重する明度変換手段１５をさらに備える。本実施形態では、高速読取受信装置２０２は明度情報も取得できる。
【００５８】
図９は、本実施形態の情報伝送方法を説明する図である。本情報伝送方法は、読取速度別の受信装置の読み出し時間差を利用し、低速読取受信装置向けの２次元コード全体の表示明度を図９のように時間的に変化させ、この明度の時間的変化を信号として高速読取受信装置２０２へ他の情報を伝送する方法である。
【００５９】
送信装置３０３は、図２のような時間分割による多重化を行った上で、Ｔｌ１，Ｔｌ２，・・・，Ｔｌｘの各区間における全受信機向けの２次元コード全体の出力光強度または明暗を図９のように時間的に変化させ、さらなる多重化を行う。
【００６０】
この時、高速読取受信装置２０２は読み取り時間を明度が変化する時間よりも短く設定することで、高速読取受信装置向け２次元コードの情報、低速読取受信装置向け２次元コードの情報、及び明度変化による情報を取得することができる。一方、低速読取受信装置２０１は明度変化で表現された情報を取得できず、低速読取受信装置向け２次元コード情報のみを取得する。
【００６１】
なお、送信装置３０３は、２次元コードの明度変化を光強度（連続値）または明暗の二段階（２値変調）あるいは複数段階（多値変調）としてもよい。また、明度の変動幅については低速読取受信装置２０１の読取性能に合わせる。具体的には、明度を最大値（明暗のどちらでもよい）からの相対的な強度変化（ダイナミックレンジ）として、二次元コードを表示する。この場合、低速読取受信装置向けの２次元コードは、明度が時間的に変化するが、常時表示されていることになる。
【００６２】
本実施形態の送信装置３０３を用いることで、高速読取受信装置２０２は、実施形態１で説明した高速読取受信装置２０２より多くの情報を取得することができる。なお、送信装置３０３が実施形態２で説明した色変化を利用した手法と合わせて情報を伝送すれば、高速読取受信装置２０２はより多くの情報を取得することができる。
【００６３】
［付記］
以下は、本実施形態の通信システムを説明したものである。
【００６４】
（１）：
送信装置と受信装置で２次元コードを用いて通信を行うシステムであって、
前記送信装置は、送信すべきデータを２次元配列させたセルからなる送信面にて、２次元コードに変換し、時間的に変化させベースとした複数の信号を出力し、
前記の送信装置が表示するベースとなる２次元コードのみを受信できる受信装置及び、
前記送信装置が表示するすべての信号を受信できる受信装置及び、
前記装置が表示する任意の信号を受信できる受信装置から構成される通信システム。
（２）：
上記（１）記載の通信システムにおいて、
２次元コードをベースとした時間的に変化する信号と、前記の２次元コード信号の出力波長を時間的に変化させ、ベースとなる２次元コード情報とは異なる信号を重畳し信号を出力する送信装置と、
前記送信装置から出力された２次元コード信号のみを受信する受信装置および、
波長の時間的変化によって重畳された信号のすべて、または一部を受信できる受信装置から構成される通信システム。
（３）：
上記（１）記載の通信システムにおいて、
２次元コードをベースとした時間的に変化す信号と、前記の２次元コード信号の出力強度（明暗）を時間的に変化させ、ベースとなる２次元コード情報とは異なる信号を重畳し信号を出力する送信装置と、
前記送信装置から出力された２次元コード信号のみを受信する受信装置および、
２次元コードの出力強度の時間的変化によって重畳された信号のすべて、または一部を受信できる受信装置から構成される通信システム。
【００６５】
本実施形態の通信システムにより、受信装置の読み取り時間に応じた情報（量）を２次元コード読み取りを含め、取得可能となる。
【符号の説明】
【００６６】
１１：コード変換手段
１２：表示手段
１３：制御手段
１４：色変換手段
１５：明度変換手段
２０１：低速読取受信装置
２０２：高速読取受信装置
３０１〜３０３：送信装置
【図１】
2016024576.tif 000003
【図２】
2016024576.tif 000004
【図３】
2016024576.tif 000005
【図４】
2016024576.tif 000006
【図５】
2016024576.tif 000007
【図６】
2016024576.tif 000008
【図７】
2016024576.tif 000009
【図８】
2016024576.tif 000010
【図９】
2016024576.tif 000011
【図１０】
2016024576.tif 000012
【図１１】
2016024576.tif 000013
【図１２】
2016024576.tif 000014